(57)【特許請求の範囲】
【請求項１】
新聞紙や雑誌等の印刷物等のシート状の物品の束からシート状の物品を送り出し、かつ、シート状の物品の束へとシート状の物品を送り込むための装置であって、
シート状の物品の束（２）の最上部に位置するシート状の物品（４’）を持上げるための吸着手段（24）と、該吸着手段（24）によって、シート状の物品の束（２）から持上げられたシート状の物品（４）を送り出すための押し出し手段（38）とを有し、
前記吸着手段（24）は、間欠的にシート状の物品の束の上端部に位置する少なくとも一つの吸入管ヘッド（25）を有し、該吸入管ヘッドは、負圧供給装置と接続する吸入管開口（25ａ）を有し、
該吸入管開口（25ａ）は、負圧供給装置と常時接続され、吸入管ヘッド（25）は、縦方向ガイド手段（26）によってガイドされ、かつ、伸長可能に保持されており、形状回復部材（29）によって得られる受止め位置で、吸入管開口（25ａ）は、シート状の物品（４）によって塞がれ、前記形状回復部材（29）の回復力に対抗して縮小し、受止め位置から引き込まれた荷揚げ位置へと移動し、
前記押し出し手段（38）は、吸入管ヘッド（25）に保持され荷揚げ位置にあるシート状の物品（４）に逐次作用して、吸入管ヘッド（25）および吸入管ヘッド（25）に保持されたシート状の物品（４）に対する相対動作をすることにより、シート状の物品（４）を吸入管ヘッド（25）から押し出し、吸入管開口（25ａ）を開放して、該吸入管開口（25ａ）の開放により、前記形状回復部材（29）の力を受けて、吸入管ヘッド（25）が、伸長した受止め位置へと移動するように構成されていることを特徴とする、シート状の物品の送り出し装置。
【請求項２】
前記吸入管ヘッド（25）の縦方向ガイド手段（26）および前記押し出し手段（38）は、シート状の物品の束（２）の減少方向であって好ましくは垂直方向である縦軸方向に対し、移動可能な荷重受け構造体（44）上に取り付けられ、該荷重受け構造体は、送り出されるシート状の物品の束の上端面に保持されるように構成されていることを特徴とする、請求項１記載のシート状の物品の送り出し装置。
【請求項３】
前記荷重受け構造体（44）は、所定距離を開けて配置された二つの支持部材（67、68）を有する保持装置（60）と連結しており、前記支持ホイールは、シート状の物品の束（２）の上で、好ましくはその角部に載置されることを特徴とする、請求項２記載のシート状の物品の送り出し装置。
【請求項４】
前記支持部材（67、68）は、回転自在に取り付けられた支持ホイールであり、それらの回転軸（67ａ、68ａ）の方向は、押し出し手段（38）の前進方向（Ｆ）に見て、互いに90°以上の角度をなすことを特徴とする、請求項３記載のシート状の物品の送り出し装置。
【請求項５】
前記吸入管ヘッド（25）の吸入管開口（25ａ’）は、細長い開口であり、押し出し手段（38）の前進方向（Ｆ）に対し、直角方向に設けられていることを特徴とする、請求項１から４のいずれか１項記載のシート状の物品の送り出し装置。
【請求項６】
前記押し出し手段（38）は、複数の押し出し部材（39）を有し、互いに所定距離を開けて配置されて、閉じられた循環経路上を循環駆動され、吸着手段（24）によって持上げられたシート状の物品（４）の端部（４ａ）に作用するものであることを特徴とする、請求項１から５のいずれか１項記載のシート状の物品の送り出し装置。
【請求項７】
減少するシート状の物品の束（２）を、上方から周期的に押え付ける少なくとも一つの押し下げ手段（46）を備えており、
該押し下げ手段は、逐次、駆動手段（51〜56、58、59）によって駆動され、前記押し下げ手段は、その待ち受け位置から外れるときには、前記シート状の物品の束（２）に対して作用せず、シート状の物品の束（２）から一枚のシート状の物品（４）が押し出されるとき、その作動位置となり、当該一枚のシートに続く、シート状の物品の束（２）の際上部に位置するシート状の物品を押え付ける機能を有することを特徴とする、請求項１から６のいずれか１項記載のシート状の物品の送り出し装置。
【請求項８】
送り出されるシート状の物品のために、台（３、70）が設けられており、
前記台は、シート状の物品の束（２）の減少の際に、固定された高さを維持することを特徴とする、請求項１から７のいずれか１項記載のシート状の物品の送り出し装置。
【請求項９】
前記荷重受け構造体（44）は、ガイド部材（10）にガイドされたキャリッジ（９）に固定されており、シート状の物品の束の減少方向であるシート状の物品の束（２）の縦軸方向、特に垂直方向へと移動することを特徴とする請求項２から８のいずれか１項記載のシート状の物品の送り出し装置。
【請求項１０】
シート状の物品の束（２）から送り出されたシート状の物品（４）を受止める移動コンベヤ（15）を有し、該移動コンベヤの端部が前記キャリッジ（９）に取りつけられていることを特徴とする請求項９記載のシート状の物品の送り出し装置。
【発明の詳細な説明】
【０００１】
【発明の属する技術分野】
本発明は、積み重ねられたシート状の物品の送り出し装置であって、請求項１の前文に記載のように、特に新聞紙や雑誌等の印刷物を、その束からシート状の物品を送り出し、かつ、シート状の物品の束へとシート状の物品を送り込むための装置に関するものである。
【０００２】
【従来の技術】
この分野において公知の装置として、回転駆動可能なロータに吸入管ヘッドを取りつけた、吸着手段を具備するものがある（欧州特許第0806391号）。その吸入管ヘッドは、負圧供給装置に接続されており、積み重ねられた印刷物（以下、「印刷物の束」という。）の最上部の、更に上方に配置されている。前記印刷物は、吸入管ヘッドの開口の負圧によって保持され、吸入管ヘッドの移動に伴い、印刷物の束から持上げられて移動する。前記吸着手段は、保持された印刷物を、押し出し装置の可動部内へと運び、該押し出し装置は、持上げられた印刷物の端部に作用する。この時点で、吸入管ヘッドは、負圧供給装置から切り離され、その結果、保持されていた印刷物は吸入管ヘッドから開放され、前記押し出し装置によって、印刷物の束から送り出される。
ここで、前記吸着手段は、印刷物の束から印刷物を持ち上げることにのみ利用することができるものであり、一方押し出し装置は、印刷物を移動させる機能を有する。
【０００３】
【発明が解決しようとする課題】
この、公知の装置は、吸入管ヘッドの動作を制御するための設備コストが比較的高くなるものである。加えて、制御手段には、吸入管ヘッドを周期的に負圧供給装置に接続し、かつ、切り離すことが要求される。
【０００４】
また、シート状の物品を、その束から持上げ、そこから移動させることを目的とする装置（欧州特許第0585924号および英国特許第712,337号）が良く知られており、かかる装置は、吸入管ヘッドがガイド部材上を長手方向に移動可能にガイドされた、複数の吸着手段を有するものである。この吸入管ヘッドは、その前方部分を、圧縮スプリングなどの弾性的に変形しかつ復帰可能な部材によって、受止め位置に保持されている。
【０００５】
吸入管ヘッドの吸入管開口が、負圧供給装置に接続された状態の時には、シート状の物品の束の最上部に位置し、吸入管開口が綴じられると、前記弾性的に変形しかつ復帰可能な部材の反発力により、前記吸入管ヘッドは自動的に後方へと移動して、後方の荷揚げ位置に至る。この、吸入管ヘッドの動作によって、シート状の物品は、シート状の物品の束から持上げられる。そして、保持された物品と吸入管ヘッドの動作によって、保持された物品は、その束から運び出される。かかる手法においても、運び出された物品を開放するために、吸入管ヘッドは、負圧供給装置から切り離される。
【０００６】
以上のごとく、従来のシート状の物品の送り出し装置は、負圧供給装置を吸入管ヘッドの吸入管開口に接続し、切り離すための、制御手段が必要不可欠となっている。
本発明は上記課題に鑑みてなされたものであり、その目的とするところは、比較的無駄の無い構造と制御手順とを備え、低コストで、製品の送り方向への動作を妨げることなく、シート状の物品の束からシート状の物品を送り出して、その数を減少させる装置を提供するものである。
【０００７】
【課題を解決するための手段】
上記課題は、本発明の請求項１記載の特徴部分を有する本発明によって、達成されるものである。
本発明によれば、特有の構造を有する吸入管ヘッドと、特有の構造を有する押し出し手段とが、吸入管を負圧供給装置に接続し切り離す動作をすることなく、それ自体によってシート状の物品を保持し、吸入管開口から開放する、制御された吸入管ヘッドの動作を可能とするものである。
また、本発明の課題に即した好ましい発展例が、従属請求項に記載されている。
【０００８】
【発明の実施の形態】
以下に、添付図面を参照しながら、本発明の実施の形態を更に詳細に説明する。
【０００９】
図１には、シート状部材の束から、シートを減少させる（送り出す）ための装置１の全体を示している。このシート状部材の束２は、予め設定された所定高さに揃えられて、台３上に載置されている。本発明の実施の形態では、シート状部材の束は、新聞紙や雑誌等の印刷物４の束であり、かかる束から印刷物が送り出され、またはかかる束へと印刷物を送り込む（補充する）ものである。
【００１０】
印刷物の束２の最上部に位置する印刷物４を、持上げ、そこから移動させるための手段として、シート状部材の持上げ・押し出し機構が設けられている。この持上げ・押し出し機構は符号５で示されており、図２、図３に拡大して示されている。この、持上げ・押し出し機構５は、横方向支持部材６に固定されており、横方向支持部材６は、印刷物の束２の側方に配置された、二つの連結支持部材７、８に固定されている。
【００１１】
この、二つの連結支持部材７、８は、概略的に図示された縦方向ガイド10（ガイド部材）によってガイドされた、キャリッジ９に固定され、矢印Ｂで示す縦方向に移動可能である。よって、キャリッジ９は、高さ方向の位置調整が可能である。キャリッジ９には、ガイドローラ11が設けられており、ガイドローラ11は、縦方向ガイド10に案内される。キャリッジ９には、吊り上げ手段13を介してキャリッジ９に固定された、バランスウエイト12の重量が作用する。図１には、キャリッジ９に対する吊り上げ手段13の固定位置を、符号13ａで示している。吊り下げ手段13は、定位置に固定され、回転可能な偏向ローラ14にガイドされている。なお、バランスウエイト12に代えて、シリンダ／ピストンユニットまたは空気バネを用いることも可能である。
【００１２】
また、印刷物の束２から持上げられた印刷物４を移動させることが可能な、移動コンベヤ15を備えている。この移動コンベヤ15は、ロッカーコンベヤ（搬送面の傾斜角度を変更可能なコンベヤ）として形成されており、本発明の実施の形態では、ベルトコンベヤが用いられている。このベルトコンベヤは、１つ又は隣接して配置された複数の搬送用ベルト16を有し、偏向ローラ17、18によってガイドされている。偏向ローラ18は、回転軸18ａによってキャリッジ９に取り付けられており、キャリッジ９の昇降動作に従って移動する。もう一方の偏向ローラ17は、回転軸17ａによって、二本の支持アーム19に取りつけられている。図１には、一本のアームのみ図示されている。支持アーム19は、フレーム21（部分的に図示されている）に、回転可能に取りつけられた支持軸20上に固定されている。そして、概略的に図示された駆動モータ22で、ベルトコンベヤ15を矢印Ｄ方向に駆動する。
【００１３】
図１に示すように、印刷物の束２から持上げられた印刷物４は、各印刷物が後に続く印刷物に対し部分的に積み重なった、いわゆるずれ重なり形成物Ｓとして搬送される。図示のずれ重なり形成物Ｓでは、上から積み重なる印刷物４の後縁４ａが、露出した状態にある。
【００１４】
図１には、キャリッジ９が可動範囲の上死点にある状態が示されている。また、キャリッジ９が可動範囲の下死点にある状態に符号９’を付して、一点鎖線で示している。キャリッジ９が下死点にある時、ガイドローラおよびバランスウエイトは、夫々符号11’、12’で示す位置にある。さらに、キャリッジ９の可動範囲を符号Ｃで示している。この、キャリッジ９が下死点にある状態で、ベルトコンベヤ15及び横方向支持部材６、連結支持部材７、８も、下死点にあり、夫々符号15’、６’、７’、８’を付して、一点鎖線で示している。
【００１５】
ここで、持上げ・押し出し機構５について、図２、図３及び図４を参照しながら、以下に詳細に説明する。
持上げ・押し出し機構５は、互いに一定間隔を開けて配置された二つの吸入管ヘッド25を備える吸着手段24を有している。各吸入管ヘッド25は、吸入管開口25ａ（図４参照）を有している。吸入管ヘッド25は、円筒状の縦方向ガイド26（ガイド手段）の内筒部にガイドされており、縦方向ガイド26に沿って縦軸方向に移動可能である。二つの縦方向ガイド26は、夫々、同心円筒状の連結片27（図３）が固定されている。連結片27には、負圧供給装置（図示省略）へとつながる連通管28が連結されている。よって、各吸入管開口25ａは、縦方向ガイド26、連結片27及び連通管28を介して、負圧供給装置と常時接続されている。
【００１６】
各吸入管ヘッド25と固定された連結片27との位置決めは、圧縮スプリング29（形状回復部材）によって行われており、この圧縮スプリング29によって、吸入管ヘッド25は、伸長した受止め位置へと押し出されている。この状態を、図３の左半分と図４とに示している。また、吸入管ヘッド25が、縦方向ガイド26から飛び出そうとする力に対抗するために、縦方向ガイド26の内周部には環状肩部30（図４）が形成され、かつ、環状肩部30と当接して吸入管ヘッド25の飛び出しを防ぐ環状突起31を、吸入管ヘッド25の端部に設けている。
【００１７】
各縦方向ガイド26は、連結部33に連結された保持部材32に、固定されている。また、連結部材33は、長手方向キャリヤ35に連結された支持部材34に、固定されている。長手方向キャリヤ35は、連結部材36によって、横方向支持部材６に固定された荷重受けコラム37に、取り付けている。
【００１８】
さらに、持上げ・押し出し機構５は、二つの押し出しユニット38（押し出し手段）を備える。また、この押し出しユニット38は、互いに所定距離を開けて配置されている。各押し出しユニット38は、図３に示すように、吸入管ヘッド25（吸入管ノズル）に対し、近接配置されている。各押し出しユニット38は、複数の押し出し突起部39（押し出し部材）を備え、この複数の押し出し突起部39は、規則的な間隔で、エンドレス搬送チェーン40に固定されている。各エンドレス搬送チェーン40は、図２に示すように、偏向ホイール41、42にガイドされている（閉じられた循環経路上を循環駆動される。）。
【００１９】
簡略的にのみ図示されているが、偏向ホイール41、42は、前述の支持部材34、長手方向キャリヤ35、連結部材36、荷重受けコラム37と、固定リンケージ43（図２）とで構成される荷重受けフレーム44（荷重受け構造体）に、回転可能に取り付けられている。各押し出しユニット38の偏向ホイール、例えば、偏向ホイール42は、駆動装置（図示省略）によって図２における時計回りに駆動され、その結果として、押し出し突起部39は、矢印Ｆ方向に移動する。
【００２０】
持上げ・押し出し機構５は、さらに、所定間隔を開けて配置された二つの押し下げ手段46を有している。各押し下げ手段46は、軸48に対し回転可能に取りつけられた保持部材47（図２）に固定されている。軸48は、固定リンケージ43に含まれるキャリヤ50に固定された、マウント部49に取りつけられている。軸48にはレバー51が固定されており、制御レバー54の長手方向溝53に対し、ボルト52等によって連結されている。制御レバー54は、詳述しない適当な方法で、荷重受けフレーム44に対し回転可能に取り付けられた軸55に固定されている。軸55には制御レバー56が固定されている。
【００２１】
制御レバー56は、制御部材58との相互作用により作動するものである。制御部材58は、突出する制御フィンガ59（図２）を有し、かつ、偏向ホイール41の共用シャフト57に固定されているので、偏向ホイール41と共に回転する。本発明の実施の形態では、三本の制御フィンガ59が設けられており、これらが制御レバー56に働きかけて、周期的に制御レバー56を持上げる。そして、制御レバー56を持上げることにより、制御レバー54は、図２に符号54’を付し、一点鎖線で示す位置へと回転する。この制御レバー54の動作により、レバー51は符号51’で示す位置へと回転し、押し下げ手段46を、図２に符号46’で示す後方位置へと回転させる（符号51〜56、58、59で示す各部材を、押し下げ手段46の駆動機構ともいう。）。
【００２２】
また、持上げ・押し出し機構５は、保持装置60を有する。保持装置60は、荷重受けフレーム44及び横方向支持部材６、連結支持部材７、８で構成される荷重受け構造体を、印刷物の束２の上に保持するためのものである。この保持装置60は横方向キャリヤ61を含み、横方向キャリヤ61は、連結部材62を介して、荷重受けフレーム44の長手方向キャリヤ35に支持されている。また、連結部材62は、長手方向キャリヤ35に対し回転自在に取り付けられている。よって、連結部材62及び横方向キャリヤ61は、長手方向キャリヤ35の軸芯に対し、振動運動を行うことが可能である。かかる振動運動は、図３に矢印Ｇで示されている。
【００２３】
横方向キャリヤ61には連結部材63、64が固定され、連結部材63、64の夫々には、荷重受けバー65、66が保持されている。これら荷重受けバー65、66は、その長手方向軸を横方向キャリヤ61の軸方向と直角方向へと動かすことができる。各荷重受けバー65、66下端の自由端部には、支持ホイール67、68（支持部材）が回転可能に取りつけられている。これらの支持ホイール67、68は、印刷物の束２の端部の、側方端部２ａ、２ｂの近傍に載置される。しかも、図２に示すように、支持ホイール67、68は斜めに配置されている。したがって、支持ホイール67、68の回転軸67ａ、68ａは、横断方向、換言すれば、印刷物の束２の側面２ａ、２ｂ、２ｃに対し、並行でも直角でもない方向に回転する。
【００２４】
以上の、本発明の実施の形態に係る、印刷物の束２を減少させる装置１の、ここまでの説明をまとめると、以下のようになる。本発明の実施の形態に係る装置の、持上げ・押し出し機構５は、後述する印刷物の束２の減少に追従して、印刷物の束２上に、保持装置60を介して保持される。印刷物の束２の減少により、横方向支持部材６、連結支持部材７、８で構成される荷重受け構造体は、縦方向ガイド10にガイドされたキャリッジ９、荷重受けフレーム44及びそれに固定された構造部分と共に降下する。図１に示すように、移動コンベヤ15も同様に、持上げ・押し出し機構５およびキャリッジ９に沿って移動し、支持アーム19は、矢印Ｅ方向に回転する。
【００２５】
続いて、持上げ・押し出し機構５の機能について、図２から図７を参照しながら、以下に説明する。
吸入管ヘッド25は、支持ホイール67、68に対する相対的な高さが固定されており、図３の左半分と図５に示されるように、吸入管ヘッド25を伸長させた受止め位置において、吸入管ヘッド25の吸入管開口25ａを、印刷物の束２の最上部に位置する印刷物４’上に載せた状態にある。負圧供給装置と常時接続している吸入管ヘッド25の吸入管開口25は、この受止め位置で、最上部に位置する印刷物４’により閉じられた状態となり、吸入管ヘッド25の内部には負圧が形成される。その結果として、吸入管ヘッド25は、圧縮スプリング29の力に対抗して、保持された印刷物４’と共に持上げられ、吸入管ヘッド25を伸長させた受止め位置から、引き込み位置へと移動する。したがって、最上部に位置する印刷物４’は、印刷物の束２から、その後縁４ａが持上げられ、移動径路上へと、押し出し突起部39によって移動させられる（図１、図２、図３の右半分、図６参照。）。
【００２６】
図１、図６及び図７に示すように、押し出し突起部39が、持上げられた印刷物４’ の後縁４ａに作用し、図６の矢印Ｆ方向に移動すると、最上部に位置する印刷物４’を印刷物の束２から押し出す。この、最上部に位置する印刷物４’が移動を開始する時点でも、吸入管ヘッド25の吸入管開口25ａは、閉じられた状態を維持するが（図６）、開放された場合には、その長さを伸長させることになる。保持された印刷物４’が、吸入管ヘッド25の吸入管開口25ａから完全に押し出されると、吸入管ヘッド25は直ちに圧縮スプリング29によって下方へと押し戻され、当初の受止め位置へと復帰する。そして、前述と同様に、吸入管ヘッド25の吸入管開口25ａを、印刷物の束２の最上部に位置する印刷物４上に載せることとなる。その結果として、前述のように保持された印刷物４を持上げる動作を再び開始する。
【００２７】
押し出しユニット38の押し出し突起部39は、印刷物４を移動コンベヤ15の可動部へと移動させ、それによって、印刷物４は、印刷物の束２から押し出され、ずれ重なり形成物Ｓ（図１）となって移動する。注目すべき点は、押し出される印刷物４の間隔を、押し出し突起部39の間隔によって選択可能であることは勿論のこと、移動コンベヤ15上で、互いに一部分を重ね合わせたずれ重なり形成物Ｓとして、先行する印刷物４に続くように印刷物を搬送することにある。
【００２８】
図２及び図３には、押し下げ手段46が、後方位置である待ち受け位置にある時、吸入管ヘッド25は伸長した受止め位置にあり、最上部に位置する印刷物４’上に載せた状態にある。かかる押し下げ手段46の待ち受け位置を、符号46’を付して、図２には一点鎖線で、図３の左半分には実線で示している。
【００２９】
吸入管ヘッド25が、前述の手順で印刷物の束２から離間する際に、押し下げ手段46は、制御フィンガ59、制御レバー54及びレバー51に制御されて、印刷物の束２の最上部に対し、逐次、以下の動作をする。最上部に位置する印刷物４’が吸入管ヘッド25によって印刷物の束２から持上げられると（この時点では、まだ印刷物４’は送り出されていない）、押し下げ手段46は、直ちに、印刷物の束２の最上部（作動位置）へと移動する。この押し下げ手段46の作動位置を、図２と図３の右半分とに実線で示している。
【００３０】
押し下げ手段46が、その作動位置において、印刷物の束２を押圧する目的は、既に持上げられた印刷物４’が、押し出し突起部39によって押し出されるとき、それに引きずられて、下方に位置する印刷物４も一緒に運ばれてしまうことを防ぐためである。制御レバー56が制御フィンガ59から外れると、直ちに、押し下げ手段46は、引き込まれる方向へと回転し、待ち受け位置へと復帰する。
【００３１】
前述のように、吸入管ヘッド25は、吸入管開口25ａが開放されると、直ちに、短縮した引き込み位置から伸長した受止め位置へと復帰する。このことが、吸入管ヘッド25の作動サイクルに要する時間を短縮しつつ、吸入管開口25ａの押し出し方向Ｆの寸法を必要最小限にすることができる。それにもかかわらず、十分に大きな吸入管開口25ａを得る必要がある場合には、図８及び図９に示すような、細長い開口25ａ’を設けることが好ましい。この細長い開口25ａ’は、押し出し方向Ｆに対し、ほぼ90°の角度をなす方向に延びるように、形成される。
【００３２】
さらに、図10及び図11には、減少した印刷物の束に、新たな束を補充する二つの補充方法を、示している。
図10に示す例では、新しい束２’が、印刷物の束２を載置した台３の下方に移動する。そして、印刷物の束２が完全に無くなると、その下に位置する新しい束２’は、図示しない適当な方法によって、上方へと押し上げられる。新しい束２’の補充は、印刷物の送り出し作業を中断している間に行うか、または、作業中に行う。台３、３’は、交互に印刷物の束を保持する機能を有する。
図10に符号２”で示しているものは、新たな束２’の次に待機する印刷物の束であり、印刷物の束２”は、新たな束２’が送り出し位置へと持上げられた後に、図10の新たな束２’の位置へと移動するものである。
【００３３】
一方、図11に示す例では、新たな印刷物４は、印刷物の束２の下方から、常時供給される。このとき、印刷物４は、供給コンベヤ70により、ずれ重なり形成物Ｓ’として、矢印Ｈ方向に供給される。このずれ重なり形成物Ｓ’は、各印刷物４は後に続く印刷物の上に、夫々覆い被さる。したがって、印刷物の束２の補充は、前記欧州特許第0806391号の装置と同様の手法によって行われるが、相違点として供給コンベヤ70はロッカーコンベヤではなく、位置変更ができない点が異なる。かかる構造が可能となったのは、印刷物の束の上端に保持され、移動可能に載置された持上げ・押し出し機構５が、印刷物の束２の、上端位置の高さに追従することが可能であることによるものである。供給コンベヤ70は、図１及び図10に示す、装置１の固定された高さの台３と同様の機能を有するものである。
【００３４】
上記説明から、本発明の実施の形態に係る装置の重要な利点は、上記説明から次のようにまとめることができる。本発明の実施の形態に係る装置は、印刷物の束２の上端が、常時同じ高さであることから、台３又は供給コンベヤ70の高さ制御が要求されない。なぜならば、持上げ・押し出し機構５は、印刷物の束２の上端の高さに追従し、その高さを変えることが可能だからである。
【００３５】
言うまでもなく、様々な構成要素、例えば、押し出しユニット38、押し下げ手段46および駆動装置等は、上記説明及び添付図面に示す構成とは異なるものとして構成される場合もある。例えは、吸着手段24に持上げられた印刷物４を送り出すための手段として、前記欧州特許第0806391号に開示されたものを用いることも可能である。
【００３６】
本発明の実施の形態で開示した、吸入管ヘッド25に保持された印刷物４は、いずれの場合も、押し出しユニット38の押し出し突起部39によって、吸入管ヘッド25の吸入管開口25ａを開放するように、吸入管ヘッド25から押し出される。換言すれば、押し出し突起部39は、固定された吸入管ヘッド25を通過するように作動する。
【００３７】
保持された印刷物４を吸入管ヘッド25から押し出すために、吸入管ヘッド25と同様の機能を有する他の物を用いることも可能であり、固定された停止部に対して、保持された印刷物４と共に移動するものである。この場合には、前記停止部に対する保持された印刷物４の位置が、さらに遠くなるような動作を不用としつつ、吸入管ヘッド25は印刷物４を更に遠くへとスライドさせて、吸入管開口25ａを開放するものである。吸入管ヘッド25は、次の印刷物を保持するために、停止部から移動し再び始動位置へと戻る。この場合には、同期手段と、作動サイクルの延長とが必要となる。
【図面の簡単な説明】
【図１】  本発明の実施の形態に係る、シート状部材の送り出し装置を示す側面図である。
【図２】  図１に示す側面図の拡大図であって、シート状部材の束からの、シート状部材の持上げ・押し出し機構を示す図である。
【図３】  図２に示す機構を、図２の矢印Ａ方向から見た図である。
【図４】  吸入管ヘッドの長手方向断面図である。
【図５】  シート状部材の束からの、シート状部材の持上げ・押し出し機構の動作を示す概略図である。
【図６】  図５に続く、シート状部材の束からの、シート状部材の持上げ・押し出し機構の動作を示す概略図である。
【図７】  図６に続く、シート状部材の束からの、シート状部材の持上げ・押し出し機構の動作を示す概略図である。
【図８】  本発明の他の実施の形態に係る吸入管ヘッドの長手方向断面図である。
【図９】  図８のＩＸ−ＩＸ線における断面図である。
【図１０】  二つの実施可能なシート状部材の束の補充方法を示す図である。
１  装置
２  シート状部材の束
３  台
４  印刷物
４ａ  後縁
５  持上げ・押し出し機構
６  横方向支持部材
７、８  連結支持部材
９  キャリッジ
10  縦方向ガイド
11  ガイドローラ
12  バランスウエイト
13  吊り上げ手段
14  偏向ローラ
15  移動コンベヤ
16  搬送用ベルト
17、18  偏向ローラ
17ａ、18ａ  回転軸
19  支持アーム
20  支持軸
21  フレーム
22  駆動モータ
24  吸着手段
25  吸入管ヘッド
25ａ  吸入管開口
26  縦方向ガイド
27  連結片
28  連通管
29  圧縮スプリング
30  環状突起
31  環状突起
32  保持部材
33  連結部
34  支持部材
35  長手方向キャリヤ
36  連結部材
37  荷重受けコラム
38  押し出しユニット
39  押し出し突起部
40  エンドレス搬送チェーン
41、42  偏向ホイール
43  固定リンケージ
44  荷重受けフレーム
46  押し下げ手段
47  保持部材
48  軸
49  マウント部
50  キャリヤ
51  レバー
52  ボルト
53  長手方向溝
54  制御レバー
55  軸
56  制御レバー
57  共用シャフト
58  制御部材
59  制御フィンガ
60  保持装置
61  横方向キャリヤ
62  連結部材
63、64  連結部材
65、66  荷重受けバー
67、68  支持ホイール
70  供給コンベヤ
【図１】
0004251258.tif 000002
【図２】
0004251258.tif 000003
【図３】
0004251258.tif 000004
【図４】
0004251258.tif 000005
【図５】
0004251258.tif 000006
【図６】
0004251258.tif 000007
【図７】
0004251258.tif 000008
【図８】
0004251258.tif 000009
【図９】
0004251258.tif 000010
【図１０】
0004251258.tif 000011
【図１１】
0004251258.tif 000012